(57)【要約】      （修正有）【課題】従来の土木資材としての土嚢は暫定的な使用に限られていたため、恒久的に使用できる土嚢状土木資材を提供する。【解決手段】土嚢状土木資材１は、従来の土嚢と同様に上部に開口を有する袋２の内部に中込材３を詰め込んで、上部の開口４をミシンや溶着等で封止したものである。中込材３として、セメント等の水硬性を有する粒子が含まれている。また、繊維状材料を添加してもよい。袋２は、一部又は全部に通水性を有している。すなわち、袋２が麻袋等のように織成され、全部に通水性を有しているものでもよく、または、ビニール袋等のように通水性を有していない素材で形成した袋本体５に矩形貫通状の窓６を形成し、窓６に網７を袋本体５の内側から張設（貼着）して、一部に通水性を有するように構成したものでもよい。【選択図】図２
2014218810.tif 000002
【特許請求の範囲】
【請求項１】
袋に中込材を詰めた土嚢状の土木資材であって、
前記袋が一部又は全部に通水性を有し、前記中込材に水硬性を有する粒子が含まれていることを特徴とする土嚢状土木資材。
【請求項２】
前記中込材に繊維状材料を添加したことを特徴とする請求項１に記載の土嚢状土木資材。
【請求項３】
前記中込材が水分と反応することで、重量が増大することを特徴とする請求項１又は請求項２に記載の土嚢状土木資材。
【請求項４】
前記袋の通水性を有する部分を通水性を有しない素材で着脱自在に被覆したことを特徴とする請求項１〜請求項３のいずれかに記載の土嚢状土木資材。
【発明の詳細な説明】
【技術分野】
【０００１】
本発明は、袋に中込材を詰めた土嚢状の土木資材に関するものである。
【背景技術】
【０００２】
従来より、土木資材として、麻袋の中に土砂を詰め込んだ土嚢が土木現場などで広く利用されている。
【０００３】
この土嚢は、雨水の浸入や土砂崩れなどを防止するために積み上げられて使用されるものであり、緊急時等に一時的に使用されるものであった。
【先行技術文献】
【特許文献】
【０００４】
【特許文献１】特開２００９−２４３０４２号公報
【発明の概要】
【発明が解決しようとする課題】
【０００５】
従来の土木資材としての土嚢は、麻袋に土砂を詰め込んだ構成となっているために、変形が容易である程度の重量があることから、一時的に積み上げて暫定的に使用するには適したものであった。
【０００６】
しかしながら、従来の土嚢は、長期間にわたって使用すると経時的に変形が進むことから、長期間にわたって恒久的に使用するには適していなかった。
【課題を解決するための手段】
【０００７】
そこで、請求項１に係る本発明では、袋に中込材を詰めた土嚢状の土木資材であって、前記袋が一部又は全部に通水性を有し、前記中込材に水硬性を有する粒子が含まれていることにした。
【０００８】
また、請求項２に係る本発明では、前記請求項１に係る本発明において、前記中込材に繊維状材料を添加することにした。
【０００９】
また、請求項３に係る本発明では、前記請求項１又は請求項２に係る本発明において、前記中込材が水分と反応することで、重量が増大することにした。
【００１０】
また、請求項４に係る本発明では、前記請求項１〜請求項３のいずれかに係る本発明において、前記袋の通水性を有する部分を通水性を有しない素材で着脱自在に被覆することにした。
【発明の効果】
【００１１】
そして、本発明では、以下に記載する効果を奏する。
【００１２】
すなわち、本発明では、袋に中込材を詰めた土嚢状の土木資材において、袋が一部又は全部に通水性を有し、中込材に水硬性を有する粒子を含めることにしているために、設置後の自然な通水によって固化させることができ、長期間にわたって使用しても変形することがなくなり、恒久的に使用することができる。
【００１３】
特に、中込材に繊維状材料を添加した場合には、固化する際に水分を内部に良好に導くことができるとともに、固化した際の強度を増大させることができる。
【００１４】
また、中込材が水分と反応することで重量が増大する場合には、使用前の運搬作業や積み上げ作業を容易なものとすることができる。
【００１５】
さらに、袋の通水性を有する部分を通水性を有しない素材で着脱自在に被覆した場合には、使用前に長期間にわたって備蓄しておくことができる。
【図面の簡単な説明】
【００１６】
【図１】本発明に係る土嚢状土木資材を示す正面図。
【図２】同側面図。
【発明を実施するための形態】
【００１７】
以下に、本発明に係る土嚢状土木資材の具体的な構成について図面を参照しながら説明する。
【００１８】
図１及び図２に示すように、本発明に係る土嚢状土木資材１は、従来の土嚢と同様に上部に開口を有する袋２の内部に中込材３を詰め込んで、上部の開口４をミシンや溶着等で封止したものであり、外観上の形態は従来の土嚢と類似している。
【００１９】
しかしながら、本発明に係る土嚢状土木資材１では、従来の土嚢とは異なり、袋２の内部に詰め込まれた中込材３が、土砂ではなく、セメント等の水硬性を有する粒子を含んでいる。
【００２０】
袋２は、一部又は全部に通水性を有している。すなわち、袋２が麻袋等のように織成された袋で、全部に通水性を有しているものでもよく、また、図１及び図２に示すように、ビニール袋等のように通水性を有していない素材で形成した袋本体５に矩形貫通状の窓６を形成し、窓６に網７を袋本体５の内側から張設（貼着）して、一部に通水性を有するように構成したものでもよい。
【００２１】
袋２の内部に詰め込む中込材３は、水分と反応して硬化（固化）する水硬性を有する物質の粒子を含有させている。たとえば、中込材３として、粉末状のスラグ１００重量部と粉末状のセメント３０重量部との混合物を袋２の内部に詰め込んでいる。なお、袋２の内部には、重金属の流出を防止するために重金属固化材を添加してもよく、スサやセルロースなどの繊維状材料や有機材料を添加してもよく、さらには、使用済みの土嚢状土木資材１で固化した中込材３を破砕又は粉砕したものを骨材や増量材として添加してもよい。なお、中込材３としては、０．０１μｍ以上０．５ｍｍ以下の粒体であって０．５μｍ以下の微粒子を５重量％以上含まれているものを用いている。
【００２２】
袋２の内部にスラグとセメントを詰め込んだ場合には、１００重量部〜５００重量部の水と反応することで固化し、重量が倍以上に増大する。
【００２３】
本発明に係る土嚢状土木資材１は、袋２と水硬性を有する粒子を含んだ中込材３を設置現場にそれぞれ運搬し、設置現場において袋２の内部に中込材３を詰め込み、袋２の開口４を紐等で結んでから、所定位置に設置していってもよく、予め袋２に水硬性を有する粒子を含んだ中込材３を詰め込んで開口４を風刺した状態の物（完成品）を設置現場に運搬してもよい。
【００２４】
完成品は、保管できるようにするために、袋２の通水性を有する部分を通水性を有しない素材で着脱自在に被覆しておき、通水性を有しない素材を剥離して使用するようにしてもよい。たとえば、図１及び図２に示すように、通水性を有しない袋本体５に形成した窓６に、ビニール等の通水性を有しない素材からなるカバー８を袋本体５の外側から着脱自在に張設（貼着）する。これにより。保管時には、袋２の通水性を有する部分（窓６）を通水性を有しないカバー８で被覆することで、袋２の全体の通水性を有していない状態となり、袋２の内部に水分が浸入するのを防止し、使用時には、カバー８を剥離することで、袋２の通水部（窓６）から水分が内部に浸入して中込材３が硬化する。
【００２５】
なお、袋２は、麻袋等の通水性を有する内側の袋をビニール袋等の通水性を有しない外側の袋で完全に被覆してもよく、複数個の通水性を有する袋２をシート状のビニール等の通水性を有しない素材で包装してもよい。
【００２６】
以上に説明したように、上記土嚢状土木資材１は、袋２に中込材３を詰めた土嚢状の土木資材であり、袋２が一部又は全部に通水性を有し、中込材３に水硬性を有する粒子を含めることにしたものである。
【００２７】
そのため、上記土嚢状土木資材１は、設置後の自然な通水や強制的な通水によって袋２の内部の中込材３を硬化（固化）させることができ、長期間にわたって使用しても変形することがなく、恒久的に使用することができる。
【００２８】
また、上記土嚢状土木資材１では、中込材３に吸水性及び導水性を有する繊維状材料を添加している。
【００２９】
そのため、上記土嚢状土木資材１では、中込材３に含有された繊維状材料によって、固化する際に水分を内部に良好に導くことができ、袋２の内部の中込材３を均一に硬化（固化）させることができるとともに、水の分散が適当となるために水和反応の速度や固化反応による内部ストレスの発生を抑制することができてクラックの発生がなく、固化した際の強度を増大させることができる。
【００３０】
また、上記土嚢状土木資材１では、中込材３が水分と反応して水和体を生成することで重量が増大するようにしている。
【００３１】
そのため、上記土嚢状土木資材１では、使用前（硬化前）においては重量が軽く、使用前の運搬作業や積み上げ作業を容易なものとすることができる。
【００３２】
さらに、上記土嚢状土木資材１では、袋２の通水性を有する部分を通水性を有しない素材で着脱自在に被覆している。
【００３３】
そのため、上記土嚢状土木資材１では、袋２の内部に水分が浸入するのを防止することができ、使用前に長期間にわたって備蓄しておくことができる。
【００３４】
また、上記土嚢状土木資材１は、袋体で外装の自由性があると同時に不必要な強度を要しないために、積み上げ時に必要に応じて差筋等ができる。
【００３５】
また、上記土嚢状土木資材１は、袋２を自然素材（麻や綿など）とすることで積石と同様の排水性を有することから、壁内側からの自然な排水が可能となる。特に、長期間後に袋２が自然に分解されて石積状態となる。
【００３６】
さらに、従来の土嚢を仮設した場合には土嚢袋が劣化してしまい除去作業を円滑に行うことができないのに対して、上記土嚢状土木資材１は、内部の中込材が安定した固化体となっている上に積み上げた土嚢状土木資材同士が相互に接合されていないために、各土嚢状土木資材１を取外すことができるとともに、必要に応じてクラッシャー等で破砕することで砕石の代用品や次の土嚢状土木資材１の混合材として再利用することができ、ビニール混じりの残土として処理する必要がある従来の土嚢と比較して遥かに使用後のリサイクル性に優れている。
【符号の説明】
【００３７】
１  土嚢状土木資材
２  袋
３  中込材
４  開口
５  袋本体
６  窓
７  網
８  カバー
【図１】
2014218810.tif 000003
【図２】
2014218810.tif 000004